【手続補正書】
【提出日】平成29年1月31日(2017.1.31)
【手続補正１】
【補正対象書類名】特許請求の範囲
【補正対象項目名】全文
【補正方法】変更
【補正の内容】
【特許請求の範囲】
【請求項１】
ハブとブレードから成るロータと、該ロータに前記ハブに接続された主軸を介して接続される発電機と、該発電機を少なくとも収納し、前記主軸を介して前記ロータを軸支するナセルと、該ナセルを頂部に支持するタワーとを備え、前記ナセルは、複数枚のパネルで構成され、分割可能な構造となっているナセルカバーで外殻が形成されている風力発電装置であって、
複数枚の前記ナセルカバーの端部接合部に屈曲部を有し、隣接する前記ナセルカバーの端部接合部同士の屈曲部間で、外部と連通する外部連通部、前記ナセル内と連通する内部連通部、該内部連通部と前記外部連通部を連通する中間連通部が形成されていることを特徴とする風力発電装置。
【請求項２】
ハブとブレードから成るロータと、該ロータに前記ハブに接続された主軸を介して接続される発電機と、該発電機を少なくとも収納し、前記主軸を介して前記ロータを軸支するナセルと、該ナセルを頂部に支持するタワーとを備え、前記ナセルは、複数枚のパネルで構成され、分割可能な構造となっているナセルカバーで外殻が形成されている風力発電装置であって、
前記ナセルは、その上面部、側面部及び下面部のそれぞれが複数枚のパネルで構成され、分割可能な構造となっているナセルカバーで外殻が形成されていると共に、前記ナセルの上面部、側面部及び下面部のそれぞれの複数枚の前記ナセルカバーの端部接合部に屈曲部を有し、かつ、前記ナセルの上面部、側面部及び下面部のそれぞれは、隣接する前記ナセルカバーの端部接合部同士の屈曲部間で、外部と連通する外部連通部、前記ナセル内と連通する内部連通部、該内部連通部と前記外部連通部を連通する中間連通部が形成されていることを特徴とする風力発電装置。
【請求項３】
請求項２に記載の風力発電装置において、
前記ナセルの上面部及び下面部のそれぞれの複数枚の前記ナセルカバーは、前記主軸の軸方向に連続的に配置され、かつ、前記ナセルの側面部の複数枚の前記ナセルカバーは、前記主軸の軸方向に連続的に配置されたものが、前記ナセルの上下方向に配置されていることを特徴とする風力発電装置。
【請求項４】
請求項２又は３に記載の風力発電装置において、
前記ナセルの上面部の複数枚の前記ナセルカバーの接合部は、隣接する一方の上面部ナセルカバーの端部が内側にＬ字状に屈曲して伸延すると共に、隣接する他方の上面部ナセルカバーの端部が、一方の前記上面部ナセルカバーのＬ字状と所定の間隙をもって平行に内側に屈曲して伸延し、この内側に屈曲して伸延した一方と他方の前記上面部ナセルカバー端部の屈曲部間で前記外部連通部が形成され、
かつ、他方の前記上面部ナセルカバー端部のＬ字状に屈曲して伸延した先端が、一方の前記上面部ナセルカバーの端部以外の部分と平行になるように屈曲して伸延すると共に、この屈曲部の伸延先端が一方及び他方の前記上面部ナセルカバーのＬ字状端部と平行になるように外側に屈曲して伸延し、この外側に屈曲して伸延した他方の前記上面部ナセルカバーと一方の前記上面部ナセルカバーの端部以外の部分と平行になるように屈曲して伸延した他方の前記上面部ナセルカバー及び一方の前記上面部ナセルカバーとＬ字状に屈曲して伸延した一方の前記上面部ナセルカバーの端部で囲まれた部分で前記中間連通部が形成され、
かつ、外側に屈曲して伸延した他方の前記上面部ナセルカバーの先端が一方の前記上面部ナセルカバーの端部以外の部分と平行になるように屈曲して伸延すると共に、この屈曲して伸延した部分と一方の前記上面部ナセルカバーとの間で前記内部連通部が形成されていることを特徴とする風力発電装置。
【請求項５】
請求項４に記載の風力発電装置において、
前記内部連通部に、シール材が配置されていることを特徴とする風力発電装置。
【請求項６】
請求項４又は５に記載の風力発電装置において、
他方の前記上面部ナセルカバーは前記タワーに固定されたフレームに固定されており、一方の前記上面部ナセルカバーと他方の前記上面部ナセルカバーは、一方の前記上面部ナセルカバーの内部に固定されているナットにボルトが挿入されることで締結されていることを特徴とする風力発電装置。
【請求項７】
請求項６に記載の風力発電装置において、
他方の前記上面部ナセルカバーの一部に、前記主軸の軸方向に長い長穴が形成され、該長穴に前記ボルトを連通して前記ナットに締結されていることを特徴とする風力発電装置。
【請求項８】
請求項２又は３に記載の風力発電装置において、
前記ナセルの上面部の前記ナセルカバーと前記ナセルの一方の側面部の前記ナセルカバーの接合部、前記ナセルの一方の側面部の前記ナセルカバーと前記ナセルの他方の側面部の前記ナセルカバー及び前記ナセルの他方の側面部の前記ナセルカバーと前記ナセルの下面部の前記ナセルカバーの接合部は、隣接する前記上面部ナセルカバーの端部、一方の前記側面部ナセルカバーの下方側端部及び他方の前記側面部ナセルカバーの下方側端部が内側にＬ字状に屈曲して伸延すると共に、隣接する一方の前記側面部ナセルカバーの上方側端部、他方の前記側面部ナセルカバーの上方側端部及び前記下面部ナセルカバーの端部が、前記上面部ナセルカバーの端部、一方の前記側面部ナセルカバーの下方側端部及び他方の前記側面部ナセルカバーの下方側端部のそれぞれのＬ字状部分と所定の間隙をもって平行に内側に屈曲して伸延し、この内側に屈曲して伸延した前記上面部ナセルカバーの端部、一方の前記側面部ナセルカバーの下方側端部及び他方の前記側面部ナセルカバーの下方側端部のそれぞれと一方の側面部ナセルカバーの上方側端部、他方の前記側面部ナセルカバーの上方側端部及び前記下面部ナセルカバーの端部の屈曲部間で前記外部連通部が形成され、
かつ、前記上面部ナセルカバー端部、一方の前記側面部ナセルカバーの下方側端部及び他方の前記側面部ナセルカバーの下方側端部のＬ字状に屈曲して伸延した先端が、前記上面部ナセルカバー、一方の前記側面部ナセルカバー及び他方の前記側面部ナセルカバー端部のＬ字状に屈曲した以外の部分と平行になるように上方に屈曲して伸延すると共に、この上方に屈曲した屈曲部の伸延先端が前記Ｌ字状の屈曲部と平行になるように更に屈曲して伸延し、かつ、一方の前記側面部ナセルカバーの上方側端部、他方の前記側面部ナセルカバーの上方側端部及び前記下面部ナセルカバーの端部のＬ字状に屈曲して伸延した先端が、一方の前記側面部ナセルカバー、他方の前記側面部ナセルカバー及び前記下面部ナセルカバー端部のＬ字状に屈曲した以外の部分と平行になるように上方に屈曲して伸延すると共に、この上方に屈曲した屈曲部の伸延先端が前記Ｌ字状の屈曲部と平行になるように更に屈曲して伸延し、前記上方に屈曲して伸延する前記上面部ナセルカバーの端部と一方の前記側面部ナセルカバーの上方側端部、一方の前記側面部ナセルカバーの下方側端部と他方の前記側面部ナセルカバーの上方側端部及び他方の前記側面部ナセルカバーの下方側端部と前記下面部ナセルカバーの端部のそれぞれの屈曲部間で前記中間連通部が形成され、
かつ、上方に屈曲して伸延する前記屈曲部の伸延先端が前記Ｌ字状の屈曲部と平行になるように更に屈曲して伸延している前記上面部ナセルカバーの端部と一方の前記側面部ナセルカバーの上方側端部、一方の前記側面部ナセルカバーの下方側端部と他方の前記側面部ナセルカバーの上方側端部及び他方の前記側面部ナセルカバーの下方側端部と前記下面部ナセルカバーの端部のそれぞれの屈曲部間で前記内部連通部が形成されていることを特徴とする風力発電装置。
【請求項９】
請求項８に記載の風力発電装置において、
前記外部連通部及び内部連通部のそれぞれに、シール材が配置されていることを特徴とする風力発電装置。
【請求項１０】
請求項８又は９に記載の風力発電装置において、
前記内部連通部の前記上面部ナセルカバーの端部と一方の前記側面部ナセルカバーの上方側端部、一方の前記側面部ナセルカバーの下方側端部と他方の前記側面部ナセルカバーの上方側端部及び他方の前記側面部ナセルカバーの下方側端部と前記下面部ナセルカバーの端部が、それぞれボルトとナットで締結され、一方の前記側面部ナセルカバーの上方側端部、他方の前記側面部ナセルカバーの上方側端部及び前記下面部ナセルカバーは、前記タワーに固定されたフレームに固定されていることを特徴とする風力発電装置。
【請求項１１】
請求項１０に記載の風力発電装置において、
一方の前記側面部ナセルカバーの下方側端部、他方の前記側面部ナセルカバーの下方側端部及び前記下面部ナセルカバーの一部に、前記主軸の軸方向と直交する水平方向に長い長穴が形成され、該長穴に前記ボルトを連通して前記ナットで締結されていることを特徴とする風力発電装置。
【請求項１２】
請求項２又は３に記載の風力発電装置において、
前記ナセルの下面部の複数枚の前記ナセルカバーの接合部は、下面部ナセルカバーの両端部が内側にＬ字状に屈曲して伸延すると共に、隣接する前記下面部ナセルカバーの端部のＬ字状屈曲部に覆いかぶさるように凹状のナセルカバー接続部材が設置され、隣接する前記下面部ナセルカバーのＬ字状端部間で前記外部連通部が形成され、
かつ、前記下面部ナセルカバーのＬ字状端部と前記凹状のナセルカバー接続部材の前記下面部ナセルカバーのＬ字状端部と平行となる部分との間で前記中間連通部が形成され、
かつ、前記下面部ナセルカバーのＬ字状端部以外の部分と前記ナセルカバー接続部材の凹状部先端から前記下面部ナセルカバーのＬ字状端部以外の部分と平行となるように屈曲伸延している部分との間で前記内部連通部が形成されていることを特徴とする風力発電装置。
【請求項１３】
請求項１２に記載の風力発電装置において、
前記下面部ナセルカバーは、断面コ字状に形成されていることを特徴とする風力発電装置。
【請求項１４】
請求項１２又は１３に記載の風力発電装置において、
前記下面部ナセルカバーのＬ字状端部先端と前記ナセルカバー接続部材の間に、シール材が配置されていることを特徴とする風力発電装置。
【請求項１５】
請求項１２乃至１４のいずれか１項に記載の風力発電装置において、
前記下面部ナセルカバーは前記タワーに固定されたフレームに固定されており、前記ナセルカバー接続部材と前記ナセルカバー接続部材は、前記ナセルカバー接続部材の内部に固定されているナットにボルトが挿入されることで締結されていることを特徴とする風力発電装置。
【手続補正２】
【補正対象書類名】明細書
【補正対象項目名】００１１
【補正方法】変更
【補正の内容】
【００１１】
本発明の風力発電装置は、上記目的を達成するために、ハブとブレードから成るロータと、該ロータに前記ハブに接続された主軸を介して接続される発電機と、該発電機を少なくとも収納し、前記主軸を介して前記ロータを軸支するナセルと、該ナセルを頂部に支持するタワーとを備え、前記ナセルは、複数枚のパネルで構成され、分割可能な構造となっているナセルカバーで外殻が形成されている風力発電装置であって、複数枚の前記ナセルカバーの端部接合部に屈曲部を有し、隣接する前記ナセルカバーの端部接合部同士の屈曲部間で、外部と連通する外部連通部、前記ナセル内と連通する内部連通部、該内部連通部と前記外部連通部を連通する中間連通部が形成されていることを特徴とする。
【手続補正３】
【補正対象書類名】明細書
【補正対象項目名】００１２
【補正方法】変更
【補正の内容】
【００１２】
また、本発明の風力発電装置は、上記目的を達成するために、ハブとブレードから成るロータと、該ロータに前記ハブに接続された主軸を介して接続される発電機と、該発電機を少なくとも収納し、前記主軸を介して前記ロータを軸支するナセルと、該ナセルを頂部に支持するタワーとを備え、前記ナセルは、複数枚のパネルで構成され、分割可能な構造となっているナセルカバーで外殻が形成されている風力発電装置であって、前記ナセルは、その上面部、側面部及び下面部のそれぞれが複数枚のパネルで構成され、分割可能な構造となっているナセルカバーで外殻が形成されていると共に、前記ナセルの上面部、側面部及び下面部のそれぞれの複数枚の前記ナセルカバーの端部接合部に屈曲部を有し、かつ、前記ナセルの上面部、側面部及び下面部のそれぞれは、隣接する前記ナセルカバーの端部接合部同士の屈曲部間で、外部と連通する外部連通部、前記ナセル内と連通する内部連通部、該内部連通部と前記外部連通部を連通する中間連通部が形成されていることを特徴とする。